(57)【要約】【課題】清掃面に凸状湾曲面を形成した状態から平坦な面を形成する状態への切換え操作を容易に且つ安定した状態で行って、被清掃面を効率良く清掃することのできる清掃具を提供する【解決手段】清掃シート２１を装着して使用する清掃具本体１１と、清掃具本体１１の清掃面１４と反対側の面に取り付けられたハンドル部１５とを備え、ヘッド本体１２と清掃クッション体１３との間に弾性スペーサー１６が設けられており、弾性スペーサー１６により清掃クッション体１３を押し出して清掃面１４に凸状湾曲面１４ａを形成した状態から、ハンドル部１５からの押圧力Ｐによって弾性スペーサー１６を圧縮変形させて清掃面１４に平坦な面を形成可能とする清掃具１０であって、ヘッド本体１２と清掃クッション体１３との間に介在して、ヘッド本体１２が清掃クッション体１３に対して垂直な方向Ｘに進退するようガイドする摺動ガイド部１７が設けられている。【選択図】図３
2010259491.tif 000002
【特許請求の範囲】
【請求項１】
清掃シートを装着して使用するヘッド本体及び清掃クッション体からなる清掃具本体と、該清掃具本体の清掃クッション体による清掃面と反対側の面に取り付けられたハンドル部とを備え、前記ヘッド本体と前記清掃クッション体との間に弾性スペーサーが設けられており、該弾性スペーサーにより前記清掃クッション体を押し出して前記清掃面に凸状湾曲面を形成した状態から、前記ハンドル部からの押圧力によって前記弾性スペーサーを圧縮変形させて前記清掃面に平坦な面を形成可能とする清掃具であって、
前記ヘッド本体と前記清掃クッション体との間に介在して、前記ヘッド本体が前記清掃クッション体に対して垂直な方向に進退するようガイドする摺動ガイド部が設けられている清掃具。
【請求項２】
前記弾性スペーサーによる弾性付勢力を保持したまま前記ヘッド本体が前記清掃クッション体に対して最も後退した状態となるように、前記ヘッド本体の進退を規制する規制手段が設けられている請求項１記載の清掃具。
【請求項３】
前記摺動ガイド部は、前記規制手段としての機能を兼ね備える請求項２記載の清掃具。
【請求項４】
前記摺動ガイド部は、前記ヘッド本体の内側から下方に突出する摺動案内壁部と、前記清掃クッション体の内側から上方に突出して前記摺動案内壁部の内部を摺動する摺動突起部とからなり、前記摺動案内壁部の下端部に係止張出部が設けられていると共に、前記摺動突起部の上端部に係止頭部が設けられており、該係止頭部が前記係止張出部に係止されることにより、前記ヘッド本体の進退を規制するようになっている請求項３記載の清掃具。
【請求項５】
前記弾性スペーサーは、コイルバネからなる請求項１〜４記載のいずれかに記載の清掃具。
【請求項６】
前記摺動ガイド部は、前記弾性スペーサーに隣接して配置されている請求項１〜５記載のいずれかに記載の清掃具。
【発明の詳細な説明】
【技術分野】
【０００１】
本発明は、清掃シートを装着して使用する清掃具本体によって、被清掃面のほこりや汚れを取り除く清掃具に関する。
【背景技術】
【０００２】
清掃面に不織布等からなる清掃シートを装着した清掃具本体によって、床等の被清掃面のほこりや汚れを取り除く清掃具が種々知られている。これらの清掃具では、清掃具本体に取り付けたハンドル部を手で持って被清掃面を払拭することにより清掃シートにほこりや汚れを付着させて、手軽に清掃を行うことができる。
【０００３】
また、これらの清掃具では、清掃具本体の清掃面の全体が平坦な面であると、払拭時に清掃シートによって覆われた清掃面の周囲にボリュームの大きなわたぼこりやゴミ等が先に付着して堆積するため、清掃面の中央部分での小さなほこりや汚れの付着を阻害しやすい。これに対して、例えば清掃具本体の清掃面を所定の曲率で湾曲する凸状湾曲面として、清掃面の周囲にわたぼこりやゴミ等が付着するのを回避できるようにした清掃具が開発されている（例えば、特許文献１参照）。
【先行技術文献】
【特許文献】
【０００４】
【特許文献１】特開平１１−２４４２１０号公報
【特許文献２】特開２００１−２９９６５９号公報
【発明の概要】
【発明が解決しようとする課題】
【０００５】
一方、特許文献１の清掃具によれば、払拭時における清掃面の被清掃面への接触面積が小さいので、清掃シートの全体にほこりや汚れを効率良く付着させることが困難である。このようなことから、清掃具本体の清掃面を、凸面状に湾曲させてその中央部分が突出した状態から、ハンドル部からの押圧力によって平坦な面となるように弾性変形可能に構成した清掃具も開発されている（例えば、特許文献２参照）。
【０００６】
特許文献２の清掃具によれば、清掃面の周囲にボリュームの大きなわたぼこりやゴミ等が堆積するのを回避しつつ、清掃シートの全体にほこりや汚れ等を付着させて効率良く被清掃面の清掃を行うことが可能になるが、清掃面に凸状湾曲面を形成した状態から、ハンドル部からの押圧力によって清掃面に平坦な面を形成する状態への切換え操作を、さらに容易に且つ安定した状態で行えるようにして、さらに効率良く被清掃面の清掃を行うことができるようにする新たな技術の開発が望まれている。
【０００７】
本発明は、清掃面に凸状湾曲面を形成した状態から、ハンドル部からの押圧力によって清掃面に平坦な面を形成する状態への切換え操作を、さらに容易に且つ安定した状態で行うことができると共に、被清掃面をさらに効率良く清掃することのできる清掃具を提供することを目的とする。
【課題を解決するための手段】
【０００８】
本発明は、清掃シートを装着して使用するヘッド本体及び清掃クッション体からなる清掃具本体と、該清掃具本体の清掃クッション体による清掃面と反対側の面に取り付けられたハンドル部とを備え、前記ヘッド本体と前記清掃クッション体との間に弾性スペーサーが設けられており、該弾性スペーサーにより前記清掃クッション体を押し出して前記清掃面に凸状湾曲面を形成した状態から、前記ハンドル部からの押圧力によって前記弾性スペーサーを圧縮変形させて前記清掃面に平坦な面を形成可能とする清掃具であって、前記ヘッド本体と前記清掃クッション体との間に介在して、前記ヘッド本体が前記清掃クッション体に対して垂直な方向に進退するようガイドする摺動ガイド部が設けられている清掃具を提供することにより、上記目的を達成したものである。
【発明の効果】
【０００９】
本発明の掃除具によれば、清掃面に凸状湾曲面を形成した状態から、ハンドル部からの押圧力によって清掃面に平坦な面を形成する状態への切換え操作を、さらに容易に且つ安定した状態で行うことができると共に、被清掃面をさらに効率良く清掃することができる。
【図面の簡単な説明】
【００１０】
【図１】本発明の一実施形態に係る掃除具の分解斜視図である。
【図２】本発明の一実施形態に係る掃除具の上面図である。
【図３】本発明の一実施形態に係る掃除具の、図２の中心線Ｃ−Ｃに沿ってＡ方向から視た断面図である。
【図４】（ａ）は、清掃面を凸状湾曲面とした状態を示す、図３のＣ部拡大図、（ｂ）は、清掃面を平坦な面とした状態を示す、図３のＣ部拡大図である。
【図５】清掃具本体に清掃シートを装着して清掃面を凸状湾曲面とした状態を示す、図２のＢ−Ｂに沿った断面図である。
【図６】清掃具本体に清掃シートを装着して清掃面を平坦な面とした状態を示す断面図である。
【発明を実施するための形態】
【００１１】
本発明の好ましい一実施形態に係る清掃具１０は、図１〜図３に示すように、清掃面１４を覆って清掃シート２１が装着されて（図５、図６参照）、この清掃シート２１により床面２２等の被清掃面を払拭する清掃具本体１１と、清掃具本体１１の清掃面１４と反対側の面に取り付けられたハンドル部１５とによって構成され、ハンドル部１５を手で持って床面２２を払拭することにより、清掃シート２１にほこりや汚れを付着させつつ清掃を行うものである。
【００１２】
そして、本実施形態の清掃具１０は、清掃シート２１を装着して使用するヘッド本体１２及び清掃クッション体１３からなる清掃具本体１１と、この清掃具本体１１の清掃クッション体１３による清掃面１４と反対側の面に取り付けられたハンドル部１５とを備え、ヘッド本体１２と清掃クッション体１３との間に弾性スペーサー１６が設けられており、これらの弾性スペーサー１６により清掃クッション体１３を押し出して清掃面１４に凸状湾曲面１４ａを形成した状態（図５参照）から、ハンドル部１５からの押圧力Ｐによって弾性スペーサー１６を圧縮変形させて清掃面１４に平坦な面（図６参照）を形成可能とする清掃具であって、ヘッド本体１２と清掃クッション体１３との間に介在して、ヘッド本体１２が清掃クッション体１３に対して垂直な方向Ｘに進退するようガイドする摺動ガイド部１７が設けられている。
【００１３】
ここで、ヘッド本体１２を進退させる清掃クッション体１３に対して垂直な方向Ｘは、清掃面１４を平坦な面とした図６の状態における、当該清掃クッション体１３による清掃面１４に対して垂直な方向を意味するものである。
【００１４】
また、本実施形態では、弾性スペーサー１６による弾性付勢力を保持したままヘッド本体１２が清掃クッション体１３に対して最も後退した状態となるように、ヘッド本体１２の進退を規制する規制手段１８が摺動ガイド部１７に設けられており、これによって摺動ガイド部１７は、規制手段１８としての機能を兼ね備えるようになっている。
【００１５】
すなわち、摺動ガイド部１７は、図４にも示すように、ヘッド本体１２の内側から下方に突出する摺動案内壁部１９と、清掃クッション体１３の内側から上方に突出して摺動案内壁部１９の内部を摺動する摺動突起部２０とからなり、摺動案内壁部１９の下端部に係止張出部１９ａが設けられていると共に、摺動突起部２０の上端部に係止頭部２０ａが設けられており、係止張出部１９ａと係止頭部２０ａとによって規制手段１８が形成されていて、係止頭部２０ａが係止張出部２０ｂに係止されることにより、ヘッド本体１２の進退を規制するようになっている。
【００１６】
本実施形態の清掃具１０を構成する清掃具本体１１のヘッド本体１２は、図１〜図３に示すように、例えば長さ２００〜３００ｍｍ程度、幅５０〜１５０ｍｍ程度の矩形平面形状を有する合成樹脂製の成形品であって、周縁部が図３における下方に折れ曲がって周壁部２３を形成し、全体として例えば１０〜５０ｍｍ程度の厚さを有している。ヘッド本体１２の周壁部２３によって囲まれる平坦な中空部には、これの内側の天井面から下方に突出して、複数の補強リブ２４が適宜の位置に設けられていると共に、長手方向の中央部分を挟んだ両側の部分には、これらの両側の部分の略中央部分に各々配置されて、一対の摺動案内壁部１９が、後述する例えばコイルバネからなる弾性スペーサー１６に隣接して、対称な位置に設けられている。
【００１７】
一対の摺動案内壁部１９は、各々、ヘッド本体１２の長手方向に所定の間隔をおいて対向配置された一対の対向案内壁１９ｂからなり、これらの対向案内壁１９ｂの間の中空内部に、後述する摺動突起部２０が摺動可能に配設されることになる。また一対の対向案内壁１９ｂの下端部には、各々、中空内部の内側に略直角に折れ曲がった係止張出部１９ａが一体成形されて設けられており、これらの係止張出部１９ａには、後述する摺動突起部２０の係止頭部２０ａが係止されることになる。
【００１８】
また、本実施形態では、一対の摺動案内壁部１９のヘッド本体１２の中央側に隣接して、バネ位置決め用上側凸部２５が、ヘッド本体１２の天井面から下方に突出して各々設けられている。これらのバネ位置決め用上側凸部２５には、後述するコイルバネ１６の上端部が位置決め係止されることになる。
【００１９】
さらに、本実施形態では、ヘッド本体１２の上面は、幅方向の横断面では、上方に向けて凸となったなだらかな弧状湾曲面を描くと共に（図５参照）、長手方向の縦断面では、中央部を挟んだ両側の部分で上方に向けて凸となったなだらかな弧状湾曲面を描くように形成されている。また、ヘッド本体１２の上面の中央部分には、マウンド状に盛り上がったハンドル接合部２６が設けられている。このハンドル接合部２６に形成された回転軸２６ａにハンドル部１５が回転可能にピン結合されることより、ハンドル部１５は、清掃具本体１１の長手方向と直交する面に沿って回動可能に支持される。これらによって、ハンドル部１５からの操作により、清掃シート２１が装着された清掃具本体１１の清掃面１４を床面２２等の被清掃面に押し付けた状態で、清掃具本体１１を前後左右に動かして、被清掃面の清掃を行うことが可能になる。
【００２０】
さらにまた、本実施形態では、ヘッド本体１２の上面の長手方向の両端部分には、シート保持部材嵌着部２７が、陥没するようにして形成されている。これらのシート保持部材嵌着部２７には、ジグザグ状のスリット２８ａが形成された柔軟な弾性材料からなる公知のシート保持部材２８（図２参照）が、嵌め込むようにして装着固定される。例えばヘッド本体１２の下面側に取り付けられた清掃クッション体１３による清掃面１４を覆うようにして、清掃シート２１を清掃具本体１１に巻き付けた後に、清掃シート２１の端部を、スリット２８ａを介してシート保持部材２８に押し込んで係着することにより、清掃シート２１が清掃具本体１１に着脱交換可能に容易に取着されることになる。なお、本実施形態では、シート保持部材嵌着部２７におけるヘッド本体１２の長手方向中央側の縁部の幅方向中央部分には、摺動案内壁部１９の上端開口部が開口するようになっている。
【００２１】
ハンドル接合部２６を介してヘッド本体１２の上面に回転可能に連結されるハンドル部１５は、例えば合成樹脂製の棒状部材からなり、清掃具１０を操作するのに適した、例えば５０〜１５０ｃｍ程度の長さを有している。また、ハンドル部１５の上端部には、把持部（図示せず。）が設けられていると共に、ハンドル部１５の下端部には回転連結部１５ａが設けられている。この回転連結部１５ａを介して、ハンドル部１５が、ヘッド本体１２の上面中央部分のハンドル接合部２６に回転可能に接合されることになる。
【００２２】
本実施形態の清掃具１０を構成する清掃具本体１１の清掃クッション体１３は、例えば弾性を有する発泡ウレタンからなり、ヘッド本体１２の矩形平面形状よりも一回り大きな、例えば長さ２１０〜３２０ｍｍ程度、幅６０〜１７０ｍｍ程度の矩形平面形状を有すると共に、例えば５〜２０ｍｍ程度の厚さを有する平板形状に形成される。清掃クッション体１３には、清掃面１４となる下面とは反対側の上面に、ヘッド本体１２の矩形平面形状と同様の大きさの矩形平面形状を有するように陥没形成された凹嵌部２９が設けられている。そして、凹嵌部２９の内周側壁面２９ａに周壁部２３を沿わせつつ、ヘッド本体１２を凹嵌部２９に嵌め込むようにして装着すると共に、矩形平面形状の短辺部分を除いた所定部分において内周側壁面２９ａと周壁部２３とを接着剤等によって接合することにより、ヘッド本体１２と清掃クッション体１３とが一体となった清掃具本体１１が形成されることになる。
【００２３】
また、本実施形態では、清掃クッション体１３の凹嵌部２９の底面２９ｂには、幅方向の中央部分を長手方向に縦断して、清掃クッション体１３の底部内側から上方に突出する摺動突起部２０を設けるための帯状支持板３０が、接着剤等によって接合される（図１、図３参照）。帯状支持板３０は、例えば合成樹脂製の成形品であって、帯状薄板プレート部３０ａの上面に梯子形状の補強枠部３０ｂを一体として成形した形状を備えている。そして、ヘッド本体１２の内側から下方に突出する摺動案内壁部１９と対応する部分の補強枠部３０ｂには、当該補強枠部３０ｂから一体として上方に突出して、リブ板状の摺動突起部２０が設けられている。
【００２４】
このようにして、リブ板状の摺動突起部２０は、補強枠部３０ｂを介して帯状支持板３０によって安定して支持された状態で、清掃クッション体１３の底部内側から上方に垂直に突出して設けられる。また、リブ板状の摺動突起部２０は、ヘッド本体１２の内側から下方に突出する摺動案内壁部１９の中空内部に摺動可能に配置されることにより、摺動案内壁部１９に沿って上下にスライド移動して、ヘッド本体１２が清掃クッション体１３に対して垂直な方向Ｘに進退するようガイドする。
【００２５】
ここで、本実施形態では、ハンドル部１５がヘッド本体１２の中央部分に取り付けられているため、ヘッド本体１２の長手方向に沿った中心線Ｃ−Ｃ上において（図２参照）、ハンドル接合部２６を挟んだその両側の対称位置に１箇所ずつ、摺動案内壁部１９と摺動突起部２０とからなる摺動ガイド部１７及び規制手段１８が設けられていることが好ましい。かかる位置に摺動ガイド部１７及び規制手段１８が設けられていることにより、清掃面１４に凸状湾曲面１４ａを形成した状態から、ハンドル部１５からの押圧力によって清掃面１４に平坦な面を形成する状態への切換え操作を、さらにスムーズに且つ安定した状態で行うことが可能になる。
【００２６】
さらに、本実施形態では、リブ板状の摺動突起部２０の上端部に、断面が半円形状の係止頭部２０ａが設けられている。この係止頭部２０ａの顎部分を、ヘッド本体１２の内側から下方に突出する摺動案内壁部１９の係止張出部１９ａに係止可能とすることにより、係止頭部２０ａと係止張出部１９ａとによって規制手段１８が構成される。これによって、弾性スペーサーとしてのコイルバネ１６により清掃クッション体１３を押し出して清掃面１４に凸状湾曲面１４ａを形成しつつ、ヘッド本体１２を清掃クッション体１３に対して最も後退させた状態とした場合でも、コイルバネ１６を伸び切らせることなく、コイルバネ１６が清掃クッション体１３を押圧する弾性付勢力を保持するように、ヘッド本体１２の進退を規制することができるようになっている。
【００２７】
すなわち、例えばコイルバネ１６が最も圧縮された状態から圧縮が開放されて伸び切るまで（弾性付勢力を生じない状態まで）の伸長量をＦとし、摺動突起部２０の係止頭部２０ａが摺動案内壁部１９の内部で摺動可能な摺動長さをリミッター長Ｌとした場合に、（コイルバネ１６が伸び切るまでの伸長量Ｆ）＞（リミッター長Ｌ）と設定することより、弾性スペーサー１６による弾性付勢力を保持したままヘッド本体１２が清掃クッション体１３に対して最も後退した状態となるようにすることが可能になる。なお本実施形態では、リミッター長Ｌは、図４（ａ）で示すように、清掃クッション体１３に対して垂直な方向Ｘにおける、係止張出部１９ａから帯状支持板３０までの距離である。また図４（ｂ）は、清掃面を平坦な面とした場合の摺動ガイド部１７及び規制手段１８周辺の断面図であり、係止張出部１９ａが帯状支持板３０に接している。
【００２８】
さらに、本実施形態では、帯状支持板３０における摺動突起部２０が設けられた部分の長手方向中央側に隣接する補強枠部３０ｂの枠内には、各々、バネ位置決め用下側凸部３１が、帯状薄板プレート部３０ａの上面から上方に突出して設けられている。これらのバネ位置決め用下側凸部３１には、コイルバネ１６の下端部が位置決め係止されて、ヘッド本体１２と清掃クッション体１３とが接合一体化されたされた際に、ヘッド本体１２の天井面に設けられた上述のバネ位置決め用上側凸部２５との間に、コイルバネ１６が位置決め装着されることになる。
【００２９】
ヘッド本体１２と清掃クッション体１３との間に弾性スペーサー１６として設けられるコイルバネは、例えば金属製の線状部材を螺旋状に巻いて形成された、ねじり弾性を利用した公知のバネ部材であり、本実施形態では、上方から下方に向けて螺旋の径を縮小させた、略切頭円錐形状に形成されている。またコイルバネ１６は、上述のように、ヘッド本体１２が清掃クッション体１３に対して最も後退して清掃面１４に凸状湾曲面１４ａを形成した状態でも、若干の圧縮状態を保持したままヘッド本体１２と清掃クッション体１３との間に挟み込まれるようになっている。
【００３０】
上述の構成を備える本実施形態の清掃具１０によれば、例えば床面２２の大きなわたぼこりやゴミ等に対しては、清掃面１４を湾曲させて凸状湾曲面１４ａを形成した状態で床面２２を払拭することにより、これらのわたぼこりやゴミ等を清掃面１４の周囲に堆積させることなく清掃面１４の清掃シート２１に付着させる。一方、床面２２の小さなほこりや汚れに対しては、ハンドル部１５から例えば２〜５０Ｎ程度の押圧力を加え、清掃面１４を平坦な面としてその全体を接触させつつ床面２２を払拭することにより、清掃シート２１の全体にほこりや汚れを効率良く付着させる。すなわち、ハンドル部１５の操作によって、清掃面１４を凸状湾曲面１４ａあるいは平坦な面に切り替えながら、清掃面１４の周囲にボリュームの大きなわたぼこりやゴミ等が付着するのを回避しつつ、清掃面１４を覆う清掃シート２１の全体にほこりや汚れを付着させて効率良く床面２２の清掃を行うことが可能になる。
【００３１】
そして、本実施形態の清掃具１０によれば、清掃面１４に凸状湾曲面１４ａを形成した状態から、ハンドル部１５からの押圧力によって清掃面１４に平坦な面を形成する状態への切換え操作を、さらに容易に且つ安定した状態で行うことができると共に、床面２２をさらに効率良く清掃することができる。
【００３２】
すなわち、本実施形態によれば、ヘッド本体１２と清掃クッション体１３との間に介在して、ヘッド本体１２が清掃クッション体１３に対して垂直な方向Ｘに進退するようガイドする摺動ガイド部１７が設けられているので、例えばハンドル部１５を介して清掃具本体１１に垂直な方向Ｘから傾いた方向に押圧力が負荷された場合でも、摺動ガイド部１７によって、ヘッド本体１２が清掃クッション体１３に対して垂直な方向Ｘに進退するように誘導することで、弾性スペーサー１６としてのコイルバネにせん断方向の変形が生じるのを効果的に回避して、清掃面１４を凸状湾曲面１４ａから平坦な面とする操作をスムーズに行うことが可能になり、これによって清掃面１４の形状を切り換えながらさらに効率良く床面２２を清掃することが可能になる。
【００３３】
また、本実施形態によれば、ヘッド本体１２の進退を規制する規制手段１８が設けられていて、ヘッド本体１２が清掃クッション体１３に対して最も後退した状態でも、弾性スペーサー１６は弾性付勢力を保持するようになっているので、適度な曲率の湾曲面として清掃面１４に凸状湾曲面１４ａを容易に形成することが可能になる。また弾性スペーサー１６がフリーな状態となっていないので、相当の押圧力を負荷しなければ、清掃面１４を平坦な面に切り替えることができないようになっており、軽い押圧力では凸状湾曲面１４ａは押し潰されることがない。これによって、清掃面１４を凸状湾曲面１４ａとした状態での清掃作業を容易にして、大きなほこりやゴミ等を清掃シート２１の全体に効果的に付着させることが可能になる。
【００３４】
さらに、本実施形態によれば、規制手段１８による進退の規制によって凸状湾曲面１４ａの湾曲形状を適宜設定することができ、また弾性スペーサー１６による弾性力を適宜設定することができると共に、これらを各々独立して設定して、清掃具１０の最適な設計を容易に行うことが可能になる。
【００３５】
なお、本発明は、上記実施形態に限定されることなく種々の変更が可能である。例えば、ヘッド本体と清掃クッション体との間に介在して設けられる弾性スペーサーは、コイルバネである必要は必ずしもなく、板バネ、ゴム、スポンジ等であっても良い。また、ヘッド本体の進退をガイドする摺動ガイド部や、ヘッド本体の進退を規制する規制手段は、摺動案内壁部や摺動突起部からなるものである必要は必ずしも無く、その他の種々の形態のものを採用することができる。例えば、パンタグラフ機構を採用することもできる。さらに、摺動ガイド部が規制手段としての機能を兼ね備えている必要は必ずしもない。さらにまた、摺動ガイド部や規制手段は、清掃具本体の両側２箇所に設けられる必要は必ずしもなく、これらの数や取り付け位置は、適宜設定することができる。また、摺動ガイド部は、弾性スペーサーに隣接して配置される必要は必ずしもない。
【符号の説明】
【００３６】
１０  清掃具
１１  清掃具本体
１２  ヘッド本体
１３  清掃クッション体
１４  清掃面
１４ａ  凸状湾曲面
１５  ハンドル部
１６  コイルバネ（弾性スペーサー）
１７  摺動ガイド部
１８  規制手段
１９  摺動案内壁部
１９ａ  係止張出部
２０  摺動突起部
２０ａ  係止頭部
２１  清掃シート
２２  床面
２５  バネ位置決め用上側凸部
２６  ハンドル接合部
２９  清掃クッション体の凹嵌部
３０  帯状支持板
３１  バネ位置決め用下側凸部
Ｘ    清掃クッション体に対して垂直な方向
【図１】
2010259491.tif 000003
【図２】
2010259491.tif 000004
【図３】
2010259491.tif 000005
【図４】
2010259491.tif 000006
【図５】
2010259491.tif 000007
【図６】
2010259491.tif 000008